(57)【要約】【目的】  タイトルの内容把握がユーザにとって容易であり、ハード構成の複雑化を防止できる映像記録再生装置を提供する。【構成】  ユーザ指定に基づく範囲の部分動画データをタイトル動画データから抽出する。前記部分動画データから複数の静止画データ（Ｉピクチャ）を取得する。各静止画を縮小した画像とタイトルメニューの基本画像となるタイトルバックとを合成する。複数の合成画像を動画ストリーム化することによってタイトルメニュー動画ストリームを生成記録する。タイトルメニュー上で選択されたタイトルのタイトルメニュー動画ストリームを再生する。【選択図】      図２
2006121183.tif 000002
【特許請求の範囲】
【請求項１】
ユーザ指定に基づく範囲の部分動画データをタイトル動画データから抽出する手段と、前記部分動画データから複数の静止画データを取得する手段と、各静止画の縮小画像とタイトルメニューの基本画像となるタイトルバックとを合成する手段と、複数の合成画像を動画ストリーム化することによってタイトルメニュー動画ストリームを生成記録する手段と、タイトルメニュー上で選択されたタイトルのタイトルメニュー動画ストリームを再生する手段と、を備えたことを特徴とする映像記録再生装置。
【請求項２】
請求項１に記載の映像記録再生装置において、ユーザ指定に基づく範囲の部分動画データは、ユーザによって指定された開始点と終点とに基づいてタイトル動画データから抽出されることを特徴とする映像記録再生装置。
【請求項３】
請求項１に記載の映像記録再生装置において、ユーザ指定に基づく範囲の部分動画データは、ユーザによって指定された開始点と予め設定された時間情報とに基づいてタイトル動画データから抽出されることを特徴とする映像記録再生装置。
【請求項４】
請求項１乃至請求項３のいずれかに記載の映像記録再生装置において、前記部分動画データから生成する非圧縮画像のみを抽出し、これを前記静止画データとすることを特徴とする映像記録再生装置。
【請求項５】
請求項１乃至請求項４のいずれかに記載の映像記録再生装置において、タイトルメニュー動画ストリームは圧縮画像を含んで成ることを特徴とする映像記録再生装置。
【請求項６】
請求項１乃至請求項５のいずれかに記載の映像記録再生装置において、ユーザ指定に基づく範囲の部分動画データに対応した音声データを抽出し、この音声データも含めてタイトルメニュー動画ストリームとすることを特徴とする映像記録再生装置。
【請求項７】
請求項１乃至請求項６のいずれかに記載の映像記録再生装置において、着脱自在の記録メディアに記録したタイトル動画データから前記部分動画データを抽出し、これに基づいて作成したタイトルのタイトルメニュー動画ストリームを前記着脱自在の記録メディアに記録することを特徴とする映像記録再生装置。
【請求項８】
請求項１乃至請求項６のいずれかに記載の映像記録再生装置において、着脱不能の記録メディアに記録したタイトル動画データから前記部分動画データを抽出し、これに基づいて作成したタイトルのタイトルメニュー動画ストリームを前記着脱不能の記録メディアに記録することを特徴とする映像記録再生装置。
【発明の詳細な説明】
【技術分野】
【０００１】
この発明は、ＤＶＤレコーダなどの映像記録再生装置に関する。
【背景技術】
【０００２】
ＤＶＤビデオ規格では、図１２に示すように、アプリケーションフォーマットが規定されている。また、ＤＶＤディスク内の記録情報は、図１３に示すように構成されている。更に、ビデオマネージャメニュー用ビデオオブジェクトセット（VMGM＿VOBS）は、図４に示すように構成される。ここで、ＮＡＶパック（ＰＣＩ：presentation control information，ＤＳＩ：data search information ）はナビゲーション情報である。ナビゲーション情報には、図１１に示すように、ボタン情報等が格納される。
【０００３】
従来より、ＤＶＤビデオ規格に従って、ＤＶＤレコーダで記録した映像のタイトルを表示するタイトルメニューの生成処理が行われる（特許文献１参照）。このタイトルメニューが単に文字表示だけからなるときには、ユーザにとって各タイトルの内容把握が困難になることに鑑み、タイトルメニュー上にタイトルの１シーンの静止画サムネイルを表示することが考えられている。また、静止画に対応する動画サムネイルを表示することが考えらる（特許文献２参照）。
【特許文献１】特開２０００−１５６０２３号公報
【特許文献２】特開２００３−２７４３６８号公報
【発明の開示】
【発明が解決しようとする課題】
【０００４】
しかしながら、上記従来の技術では、サムネイル表示される静止画／動画がユーザにとってタイトルの内容把握に必ずしも有用であるとは限らない。また、ＤＶＤレコーダ等においては、規格化された画像処理を行うためのハード構成を有するため、極力、この規格を活かしてハード構成が複雑になるのを回避するのがコストアップを防止する上で望ましい。
【０００５】
この発明は、上記の事情に鑑み、タイトルの内容把握がユーザにとって容易であり、ハード構成の複雑化を防止できる映像記録再生装置を提供することを目的とする。
【課題を解決するための手段】
【０００６】
この発明の映像記録再生装置は、上記課題を解決するために、ユーザ指定に基づく範囲の部分動画データをタイトル動画データから抽出する手段と、前記部分動画データから複数の静止画データを取得する手段と、各静止画の縮小画像とタイトルメニューの基本画像となるタイトルバックとを合成する手段と、複数の合成画像を動画ストリーム化することによってタイトルメニュー動画ストリームを生成記録する手段と、タイトルメニュー上で選択されたタイトルのタイトルメニュー動画ストリームを再生する手段と、を備えたことを特徴とする。
【０００７】
上記の構成であれば、ユーザ指定に基づく範囲の部分動画データがタイトルメニューにおいて表示されるため、タイトルの内容把握がユーザにとって容易である。また、タイトルメニュー動画ストリームを生成記録し、タイトルメニュー上で選択されたタイトルのタイトルメニュー動画ストリームを再生するので、動画ストリーム生成の規格を活かすことができ、ハード構成の複雑化を防止することができる。
【０００８】
上記構成の映像記録再生装置において、ユーザ指定に基づく範囲の部分動画データは、ユーザによって指定された開始点と終点とに基づいてタイトル動画データから抽出されることとしてもよい。或いは、ユーザ指定に基づく範囲の部分動画データは、ユーザによって指定された開始点と予め設定された時間情報とに基づいてタイトル動画データから抽出されることとしてもよい。
【０００９】
これら構成の映像記録再生装置において、前記部分動画データから生成する非圧縮画像のみを抽出し、これを前記静止画データとするのがよい。また、タイトルメニュー動画ストリームは圧縮画像を含んで成るのがよい。これによれば、タイトルメニュー動画ストリームのデータサイズを極力小さくできる。
【００１０】
これら構成の映像記録再生装置において、ユーザ指定に基づく範囲の部分動画データに対応した音声データを抽出し、この音声データも含めてタイトルメニュー動画ストリームとするのがよい。
【００１１】
これら構成の映像記録再生装置において、着脱自在の記録メディア（例えば、ＤＶＤディスクなど）に記録したタイトル動画データから前記部分動画データを抽出し、これに基づいて作成したタイトルのタイトルメニュー動画ストリームを前記着脱自在の記録メディアに記録することとしてもよい。或いは、着脱不能の記録メディア（例えば、ハードディスクなど）に記録したタイトル動画データから前記部分動画データを抽出し、これに基づいて作成したタイトルのタイトルメニュー動画ストリームを前記着脱不能の記録メディアに記録することとしてもよい。
【発明の効果】
【００１２】
この発明によれば、タイトルの内容把握がユーザにとって容易であり、ハード構成の複雑化を防止できるという効果を奏する。
【発明を実施するための最良の形態】
【００１３】
以下、この発明の実施形態のＤＶＤレコーダ（映像記録再生装置）を図１乃至図１０に基づいて説明する。
【００１４】
図１にＤＶＤレコーダ１のブロック図を示す。外部入力系１０により、チューナや外部入力端子（この端子には、例えば、ケーブルＴＶ用のセットトップボックスなどの映像装置が接続される）からのアナログ映像／音声信号がディジタルデータ化される。具体的には、Ａ／Ｄコンバータ１０ａによってチューナ等からのアナログ音声信号がディジタル信号化され、ビデオデコーダ１０ｂによりチューナ等からのアナログ映像信号がディジタル信号（ＣＣＩＲ−ＲＥＣ６５６）に変換される。そして、ＭＰＥＧビデオエンコーダ１０ｃによってＭＰＥＧビデオ規格に従った処理がなされ、ＭＰＥＧ／ＡＣ３オーディオエンコーダ１０ｄによってオーディオ規格（ＭＰＥＧ／ＡＣ３／リニアＰＣＭ）に従った処理がなされる。
【００１５】
マルチプレクサ１１は、ＭＰＥＧビデオエンコーダ１０ｃから出力されるビデオＰＥＳ（Ｐａｃｋｅｔｉｚｅ  Ｅｌｅｍｅｎｔａｒｙ  Ｓｔｒｅａｍ）及びＭＰＥＧオーディオエンコーダから出力されるオーディオＰＥＳを多重化してＭＰＥＧストリームを出力する。
【００１６】
フォーマッタ１２は、ＤＶＤ規格で規定されているナビゲーション情報（ＮＡＶ）をＭＰＥＧストリームに付加する。ナビゲーション情報は、システムコントローラ１３のナビゲーション情報生成部１３ａによって生成される。
【００１７】
変調部１４は、ＭＰＥＧストリーム（ディジタル信号）をＤＶＤメディア１５に記録しやすい形に変調する。ピックアップ１６は変調信号に基づいてレーザ光を照射してＤＶＤメディア１５にデータを記録する。サーボ回路はスピンドルモータ１８の回転制御及びピックアップ１６の駆動制御を行う。
【００１８】
また、ピックアップ１６は、ＤＶＤメディア１５から信号を読み取り、電気信号に変換する。ピックアップ１６による信号の書込／読出においては、前記スピンドルモータ１８の回転数が制御され、その後にＤＶＤメディア１５の記録面に焦点を合わせるフォーカスサーボ、次にピット列に沿って０と１の信号を読み取るためのトラッキングサーボ、更に、スピンドルサーボが働く。
【００１９】
ピックアップ１６から出力される電気信号は、復調部１９によってディジタル信号信号に変換される。誤り訂正回路２０は、再生されたディジタル信号の誤りを訂正する。ＤＶＤでは、エラーを訂正する方式として、ＲＳ−ＰＣ（リードソロモン積符号）が採用されている。訂正能力としては、訂正前の誤り率０．１％のときに、オーディオ用ＣＤは訂正後は１０-11 〜１０-12 であるが、ＤＶＤでは１０-35 になっている。
【００２０】
デマルチプレクサ２１は、ＭＰＥＧストリーム（映像、音声、字幕がそれぞれの識別子を備えながら１本の信号になっている）を、前記識別子に従って映像ストリーム、音声ストリーム、及び字幕ストリームに分離する。
【００２１】
ＭＰＥＧビデオデコーダ２２は映像ストリームを復号して量子化係数や動きベクトルを求め、逆ＤＣＴ変換や動きベクトルに基づく動き補償制御などを行うことによって映像データを出力する。ビデオエンコーダ２３は映像データ（色差信号データ）をＮＴＳＣやＰＡＬにエンコードする。ＮＴＳＣとＰＡＬの相互変換も可能である。映画を２４コマで符号化、記録された場合にはプレーヤで２−３プルダウンしてＮＴＳＣ信号にする。
【００２２】
ＭＰＥＧ／ＡＣ３オーディオデコーダ２４は、音声ストリーム中の音声符号データ（ドルビーＡＣ−３などのフォーマットによる符号データ）を復号して、非圧縮の音声データを生成する。Ｄ／Ａコンバータ２５は、非圧縮の音声データをそのままＤ／Ａ変換して外部に出力する。
【００２３】
次に、タイトルメニューＭＰＥＧストリーム生成の一連の処理について図２を参照しつつ簡単に説明していく。例えば、チューナにより受信した放送のドラマの映像記録を行った後、タイトルメニュー画面を呼び出す（図２の（ａ）参照）。図３にタイトル画面の詳細を示す。属性情報内容（番組名等）は、例えば、放送波に重畳された電子番組表から自動的に取り出すことができる。タイトルメニュー画面上のボタン（図３における「サムネイル位置」の表記部分）は、ＯＳＤ（オンスクリーンディスプレイ）回路によって生成される。ここで、上記の記録したドラマがＤＶＤメディア１５において３番目の記録映像であるとする。ユーザは、リモートコントローラ（或いは、本体の操作部）を操作し、「タイトル３」のボタン上にカーソルを載せて決定キーを押下する。この操作を検出したシステムコントローラ１３は、タイトル３（前記ドラマ）の本編再生（タイトル動画データの再生）を行い、再生映像を画面に表示する（図２の（ｂ）参照）。ユーザは、この画面上で範囲指定を行う。この範囲指定では、当該ドラマを最も良く表しているとユーザが思うシーンを選択すればよい。かかる範囲指定の具体例は一例であり、これに限定されない。
【００２４】
システムコントローラ１３は、ユーザによって範囲指定された部分の再生処理を行う（図２の（ｃ）参照）。このとき、システムコントローラ１３は範囲指定された映像データ中からＩピクチャのみを取り出し、映像デコードを行って映像データを生成し（タイトル動画データのうちの範囲指定された部分動画データを抽出し）、更に縮小処理（画素間引き等）を行う（図２の（ｄ）参照）。そして、前述したタイトルメニュー画面（図２の（ａ）参照）で用いた画像データ（タイトルバック）と前記縮小処理された映像との合成処理を行う。縮小映像の合成後の縮小映像位置はボタン３（図３のサムネイル位置３参照）の位置とする。合成映像のフレーム数は、前記取り出されたＩピクチャの数だけ生成される。システムコントローラ１３は、前記複数枚生成された合成画像に対するＭＰＥＧエンコード処理を行い、タイトルメニューＭＰＥＧ動画ストリームの生成を行い、ＤＶＤメディア１５に記録する（図２の（ｅ）参照）。これにより、「タイトル３」用のタイトルメニューＭＰＥＧ動画ストリームができたことになる。前記合成画像の動画ストリーム化においては、全ての画像をＩピクチャとすることもできるが、ＩピクチャだけでなくＰピクチャやＢピクチャを用い、各タイトルのタイトルメニューＭＰＥＧ動画ストリームのデータ量低減を図るのがよい。
【００２５】
ユーザは、「タイトル３」の映像がどのようなものであったかを知りたいときには、タイトルメニュー画面上の「タイトル３」のボタンの箇所にハイライト（カーソル）を載せ例えば左方向キーを押下する。なお、タイトルメニュー画面を規定するビデオマネージャメニュー用ビデオオブジェクトセットにおいて、当該画面が表示されている状態でのリモコンボタンの押下に対する処理が定められており（そのようなボタン制御情報がナビゲーション情報のＰＣＩに格納される（図１０参照））。ボタンの押下を検出したシステムコントローラ１３は、上述した「タイトル３」用のタイトルメニューＭＰＥＧ動画ストリームの再生処理を実行する（図２の（ｆ）参照）。この再生処理により、ボタン３の箇所においてドラマの縮小サムネイルが動画表示される映像をユーザは見ることになる。
【００２６】
上記の「タイトル３」用のタイトルメニューＭＰＥＧ動画ストリームの再生においても、ハイライト（カーソル）はＯＳＤ表示される。システムコントローラ１３は、例えば、リモートコントローラの上方向キーの押下を検出したときには、ハイライトをボタン２の箇所に移動させる（ハイライトに関する制御情報もナビゲーション情報のＰＣＩに格納される）。この状態で例えば左方向キーの押下を検出すると、「タイトル２」用のタイトルメニューＭＰＥＧ動画ストリームの再生処理を実行することになる。
【００２７】
なお、一つのタイトルメニュー画面（ページ）に表示されるタイトル数は３までとしている。タイトルが４以上存在するときには、次のタイトルメニュー画面（ページ）に表示する。タイトルメニューは最大３４ページとする。この理由はＤＶＤ規格でメディアに対し、タイトル数は最大９９であるためである。
【００２８】
各画面を構成するＰＧＣ（program chain ）は、図４のＶＭＧ（video manager ）メニュー構成に示しているように、ＮＡＶパック（ナビゲーション情報）と１フレーム分のＩピクチャから構成される。この実施例では、サムネイル動画表示前のページである３ページ分（ＰＧＣ１，ＰＧＣ２，ＰＧＣ３）は同じ構成（情報は異なる）にしている。なお、画面上の項目（ボタン等）が選択されたときにはＰＧＣに従った処理が行われる。動画サムネイルを含むＰＧＣは、この実施形態ではＰＧＣ４等に存在することとしており、図５に示すように、各データユニットは、ＮＡＶパックと１５フレーム分のＶ（video ）パックから成る。ＰＣＩには、ハイライト情報（ハイライト一般情報、ボタンカラー情報、ボタン情報）などが格納される。また、音声付き動画サムネイルを含むＰＧＣの場合は、図６に示すように、各データユニットは、ＮＡＶパックと１５フレーム分のＶ（video ）パックと音声（audio ）パックとから成る。ＰＣＩには、ハイライト情報などが格納される。なお、図５及び図６のいずれにおいても、ＰＧＣ自体の構成は通常のタイトル記録と同じでよい。なお、サブピクチャは不要である。また、タイトルメニュー上の動画部分（ボタン領域）は小さいので、タイトルメニューＭＰＥＧ動画ストリームの記録時の圧縮率を高くしても画質としてあまり問題にはならない。
【００２９】
この発明の実施形態におけるボタン情報を図１０に示す。また、従来との比較のために、通常のボタン情報を図１１に示す。一例として、図１０のＰＧＣ２のボタン情報のなかの「Button３」は、タイトルメニュー画面上の「タイトル３」のボタンの箇所にハイライト（カーソル）が載せられている状態でのボタン情報を示している。このボタン情報では、左キーが押下されたときのボタン番号は「８」と規定されている。「Button８」においては、オートアクションフラグがＹＥＳとなっており、特にキー操作がなくても、サムネイルタイトルにジャンプする処理、すなわち、「タイトル３」用のタイトルメニューＭＰＥＧ動画ストリームの再生が行われる。
【００３０】
次に、図２で示した各処理の詳細を図７乃至図９のフローチャートを参照しつつ説明していく。
【００３１】
［記録処理］  図７に示すように、ユーザが入力映像信号を決定し（例えば、受信チャンネル等を決定）、リモートコントローラの記録ボタン等を操作すると、このボタン操作の信号を受けたシステムコントローラ１３は、ＤＶＤメディア１５上の書き込み位置を決定する（ステップＳ１，ステップＳ２）。そして、システムコントローラ１３は、装填されているＤＶＤメディア１５が新規ディスクである場合（ステップＳ３でＹＥＳ）、「タイトル数＝１」をセットし（ステップＳ４）、ステップＳ７に進む。一方、新規ディスクでない場合（ステップＳ３でＮＯ）には（ステップＳ３でＮＯ）、タイトル数が９９を超えるかどうかを判断する（ステップＳ５）。超える場合には処理を終了する。超えない場合には（ステップＳ５でＮＯ）、タイトル数を“１”増やす（ステップＳ６）。そして、ビデオ及びオーディオについてのＭＰＥＧエンコード、システムエンコード、ＤＶＤフォーマッタ、ＤＶＤ書き込み処理を順に行う（ステップＳ７乃至ステップＳ１０）。システムコントローラ１３は、ユーザによる終了操作がなされたとき、或いはこの終了操作が無くてもディスク空きが無くなったときには、ＭＰＥＧフォーマッタ停止、システムエンコード停止、ＭＰＥＧエンコード（ビデオ、オーディオ）停止の処理を順に行ってタイトル書き込み終了の処理を行い（ステップＳ１１，ステップＳ１２，ステップＳ１３，ステップＳ１４）、タイトルメニューの作成処理に移行する（ステップＳ１５）。
【００３２】
［タイトルメニュー作成］  図８に示すように、タイトルメニュー作成時には、ユーザはＡ点−Ｂ点を決定する（ステップＳ２０，図２の（ｂ）参照）。システムコントローラ１３は、新規タイトルであるかどうかを判断し（ステップＳ２２）、新規タイトルである場合には（ステップＳ２１でＹＥＳ）、「Ｉ（１ページ内のタイトル数）＝１」、「Ｊ（ページ数）＝１」の処理を行い（ステップＳ２２）、タイトルメニューの背景（タイトルバック）を描画メモリに書き込む（ステップＳ２３）。更に、システムコントローラ１３は、動画開始ポイント（Ａ点）からＭＰＥＧ再生を開始し（ステップＳ２４）、再生動画（Ｉピクチャ）の縮小処理を行い（ステップＳ２５）、縮小した動画のデータのメニュー画面上での位置（図２の例ではボタン３の位置）を決定する（ステップＳ２６）。
【００３３】
そして、前記縮小動画から取り出した静止画を前記描画メモリ上でタイトルバックに合成し、この合成画像データのＭＰＥＧエンコードを開始し（ステップＳ２７）、ボタン情報、ハイライト情報をＮＡＶパックに付加した後（ステップＳ２８）、ＶＭＧＭ＿ＶＯＢＳの書き込みを行い（ステップＳ２９）、ＭＰＥＧ再生がＢ点まで終了したかどうかを判定する（ステップＳ３０）。ＭＰＥＧ再生がＢ点まで終了した場合には（ステップＳ３０でＹＥＳ）、ＭＰＥＧ再生停止、合成した画像のＭＰＥＧエンコード停止、ＶＭＧＩ＿ＢＵＰ、ＶＭＧＩの書き込みを行う（ステップＳ３１，ステップＳ３２，ステップＳ３３）。
【００３４】
一方、ステップＳ２１において新規タイトルでないと判断されたときには、ＶＭＧＩを読み出し（ステップＳ３４）、Ｉを１つインクリメントする（ステップＳ３５）。そして、システムコントローラ１３は、Ｉが３より大かどうかを判断し（ステップＳ３６）、Ｉが３より大でないときにはステップＳ２３に進む。Ｉが３より大である場合には（ステップＳ３６でＹＥＳ）、Ｉ＝１の処理とＪを１つインクリメントする処理を行い（ステップＳ３７）、Ｊが３４より大かどうか、すなわち最大ページを超えたかどうかを判断する（ステップＳ３８）。Ｊが３４より大でないときにはステップＳ２３に進み、Ｊが３４より大である場合には記録不可であるとして処理を終了する（ステップＳ３９）。なお、ステップＳ２４からステップＳ３０において、音声付きのサムネイルとする場合には、選択区間のＭＰＥＧストリームのうち、ビデオストリームと音声ストリームのみをＭＰＥＧデコードする。
【００３５】
［再生処理］  システムコントローラ１３は、ＤＶＤメディア１５をロードし（ステップＳ４１）、当該ＤＶＤが再生メディアであるかどうかを判断する（ステップＳ４２）。再生メディアであるときには、タイトルメニューがあるかどうかを判断する（ステップＳ４３）。タイトルメニューがある場合には、タイトルメニューの第１ページを表示し（ステップＳ４４）、デフォルト位置にハイライト（カーソル）を描画する（ステップＳ４５）。また  システムコントローラ１３は、ユーザによるキー操作があるかどうかを監視し（ステップＳ４６）、上方向キーが操作されたのであれば（ステップＳ４７でＹＥＳ）、現在のカーソル位置より上にタイトルがあるときには上へカーソルを移動させ（ステップＳ４８）、下方向キーが操作されたのであれば（ステップＳ４９でＹＥＳ）、現在のカーソル位置より下にタイトルがあるときには下のタイトルへカーソルを移動させ、なければ次ページのメニュー画面のデフォルト位置にカーソルを表示する（ステップＳ５０）。右方向キーが操作されたのであれば（ステップＳ５１でＹＥＳ）ステップＳ４６へ処理を戻し、左方向キーが操作されたのであれば（ステップＳ５２でＹＥＳ）、サムネール動画再生処理を行う（ステップＳ５３）。決定キーが操作された場合には（ステップＳ５４でＹＥＳ）、タイトル（本編）を再生し（ステップＳ５５）、処理を終了する。
【００３６】
なお、以上説明した実施例では、ＤＶＤビデオ規格に基づいた構成例を示したが、これに限るものではない。また、ユーザがタイトル映像上での開始点と終点を選択して再生範囲とすることとしたが、これに限らず、開始点のみを選択し、この開始点から所定時間（例えば、５秒）の範囲を自動選択してもよい。また、着脱自在の記録メディアを用いるＤＶＤレコーダ等に限らず、着脱不能の記録メディアを用いるＨＤＤレコーダ等として構成することもできる。
【図面の簡単な説明】
【００３７】
【図１】この発明の実施形態のＤＶＤレコーダを示したブロック図である。
【図２】この発明の実施形態のタイトルメニューＭＰＥＧストリーム生成の一連の処理を示した説明図である。
【図３】タイトルメニュー画面例を示した説明図である。
【図４】ＶＭＧメニュー構成を示した説明図である。
【図５】動画サムネイルを含む場合のＶＭＧメニュー構成を示した説明図である。
【図６】音声付き動画サムネイルを含む場合のＶＭＧメニュー構成を示した説明図である。
【図７】入力ビデオの記録処理を示したフローチャートである。
【図８】タイトルメニュー作成処理を示したフローチャートである。
【図９】タイトルメニューの再生処理を示したフローチャートである。
【図１０】この発明の実施形態のボタン情報を示した説明図である。
【図１１】通常のボタン情報の一例を示した説明図である。
【図１２】ＤＶＤビデオ規格のアプリケーションフォーマットを示した説明図である。
【図１３】ＤＶＤディスク内の記録情報を示した説明図である。
【符号の説明】
【００３８】
１    ＤＶＤレコーダ
１０  外部入力系
【図１】
2006121183.tif 000003
【図２】
2006121183.tif 000004
【図３】
2006121183.tif 000005
【図４】
2006121183.tif 000006
【図５】
2006121183.tif 000007
【図６】
2006121183.tif 000008
【図７】
2006121183.tif 000009
【図８】
2006121183.tif 000010
【図９】
2006121183.tif 000011
【図１０】
2006121183.tif 000012
【図１１】
2006121183.tif 000013
【図１２】
2006121183.tif 000014
【図１３】
2006121183.tif 000015